(57)【要約】      （修正有）【課題】下端縁において重ね合わせ状態に連結される表板部と裏板部とからなり、紙片や書類等の被保持物を前記表板部と裏板部との間に保持させる構成のフォルダーにおいて、目的のフォルダーをファイルキャビネット等からスムーズに取出せるようにする。【解決手段】表板部20と、表板部20の下端縁に沿って開口するポケット部21とからなる表板部材2と、裏板部10と、裏板部10の下端縁から延設され表板部材2のポケット部21に出し入れ自在に差込まれる差込み部11とからなる裏板部材1とから構成され、表板部材2のポケット部21に裏板部材1の差込み部11を差込むことにより、フォルダーの表板部20と裏板部10とを連結させる。【選択図】図２
0003106738.tif 000002
【実用新案登録請求の範囲】
【請求項１】
下端縁において重ね合わせ状態に連結される表板部と裏板部とからなり、紙片や書類等の被保持物を前記表板部と裏板部との間に保持させる構成のフォルダーにおいて、
前記表板部と、前記表板部の下端縁に沿って開口するポケット部とからなる表板部材と、
前記裏板部と、前記裏板部の下端縁から延設され前記表板部材のポケット部に出し入れ自在に差込まれる差込み部とからなる裏板部材とから構成されていることを特徴とするフォルダー。
【請求項２】
請求項１に記載のフォルダーにおいて、
前記裏板部材の裏板部は、前記表板部材のポケット部に差込み不能な板幅を有していることを特徴とするフォルダー。
【請求項３】
請求項１又は２に記載のフォルダーにおいて、
前記差込み部には、前記裏板部の下端縁と平行な折り目線が所定の間隔を空けて形成されていることを特徴とするフォルダー。
【請求項４】
請求項１から３のいずれかに記載のフォルダーにおいて、
前記表板部材のポケット部は、前記表板部の下側部分に形成されていることを特徴とするフォルダー。
【請求項５】
請求項１から４のいずれかに記載のフォルダーにおいて、
前記表板部材又は前記裏板部材には、前記ポケット部に差込まれた前記差込み部の脱落を防止する脱落防止手段が設けられていることを特徴とするフォルダー。
【請求項６】
請求項５に記載のフォルダーにおいて、
前記脱落止手段は、前記表板部の下端縁に延設され前記ポケット部の内側に折込まれる表板折込み部と、前記差込み部の自由端縁に延設され前記ポケット部の内側において前記表板折込み部と係合し得るように折込まれる裏板折込み部とからなることを特徴とするフォルダー。
【請求項７】
下端縁において重ね合わせ状態に連結される表板部と裏板部とからなり、紙片や書類等の被保持物を前記表板部と裏板部との間に保持させる構成のフォルダーに用いられる表板部材であって、
前記表板部と、前記表板部の下端縁に沿って開口するポケット部と、前記ポケット部に出し入れ自在に差込まれる板部材の脱落を防止する脱落防止手段とからなることを特徴とする表板部材。
【考案の詳細な説明】
【技術分野】
【０００１】
本考案は、書類等の被保持物を表板部と裏板部との間に保存させるフォルダーに関するものである。特に、保持させる書類等の量に合わせて形態を変化させることができるフォルダーに関する。
【背景技術】
【０００２】
従来、図８に示されるように、厚口紙などの一枚の平面板を二つ折りすることにより、下端縁において連結された表板部(20)と裏板部(10)とからなるＶ字状のフォルダーが利用されている。
この例のものは、前記裏板部(10)の上端縁(12)に見出し部(3)が突出形成されており、書類等の被保持物を前記表板部(20)と裏板部(10)との間に保持させた状態でフォルダーを表裏方向に重ね合わせて図９に示されるようなファイリングキャビネット(8)や書棚などに収納することにより、書類等を項目ごとに検索可能に保存することができるようになっている。
【考案の開示】
【考案が解決しようとする課題】
【０００３】
上記フォルダーは前記表板部(20)と裏板部(10)とが折り目(6)を介して連続する構成となっているから、保持させる書類等(5)が少量の場合には、図９中の(A)(D)のように前記表板部(20)と裏板部(10)との間に挟んだ状態で書類等を保持させることができる。しかしながら、書類等(5)が多量の場合には、図９中の(B)(C)(E)のように、前記折目部(6)近傍の表板部(20)が底板部として利用されることとなるため、前記表板部(20)の上端縁(22)の高さが低くなり、裏板部(10)の高さと不釣合いであると共に、保持させる書類等(5)の量によっては前記書類等よりも前記上端縁(22)の高さが低くなってしまうこともある。
これにより、図９のようなファイルキャビネット(8)等に収納されたフォルダーを開口部(80)から上方向に取出す場合に、前記表板部(20)が書類等(5)に埋もれて見つけられず、隣接するフォルダーを一緒に取出してしまったり、把持し損なった書類等がフォルダーから脱落してしまうこともある。
【０００４】
また、保持された書類等が前記表板部(20)の上端縁(22)の上方に露出されているから、取出しのためにフォルダー相互間に手を差し入れる際に、書類等が折曲げられたり、破損されてしまうという問題もある。
本考案は、上記事情を鑑みてなされたものであり、『下端縁において重ね合わせ状態に連結される表板部と裏板部とからなり、紙片や書類等の被保持物を前記表板部と裏板部との間に保持させる構成のフォルダー』において、ファイルキャビネット等から目的のフォルダーをスムーズに取出せるようにすることを課題とする。
【課題を解決するための手段】
【０００５】
（１）請求項１に係る考案のフォルダーは、『前記表板部と、前記表板部の下端縁に沿って開口するポケット部とからなる表板部材と、
前記裏板部と、前記裏板部の下端縁から延設され前記表板部材のポケット部に出し入れ自在に差込まれる差込み部とからなる裏板部材とから構成されており、
前記表板部材のポケット部に前記裏板部材の差込み部を差込むことにより、前記表板部と裏板部とを連結する』ことを特徴とするものである。
これによれば、表板部材のポケット部に裏板部材の差込み部をすべて差込むことにより、前記表板部と裏板部とが互いに下端縁が近接した状態で連結されるから従来のＶ字状にフォルダーと同様に書類等を保持することができる。そして、保持させる書類等の増大に合わせて前記ポケット部から前記差込み部を適宜引出すことにより、底板部として機能する差込み部によって前記表板部と裏板部とが連結されるＵ字状にフォルダーの形態を変形させることができる。
これより、従来例のように、保持させる書類等の増大に対応して前記表板部の上端縁の高さが徐々に低くなることがなく、前記表板部の上端縁と裏板部の上端縁とを同じ高さに維持することができる。
【０００６】
（２）請求項２に係る考案のフォルダーは、『前記裏板部材の裏板部は、前記表板部材のポケット部に差込み不能な板幅を有している』ことを特徴とする。
これによれば、前記差込み部の過剰な差込みにより前記差込み部に連設された裏板部が前記ポケット部に差込まれてしまうことがないから、前記裏板部の上端縁の高さが低くなることも防止することができる。
【０００７】
（３）請求項３に係る考案のフォルダーは、『前記差込み部には、前記裏板部の下端縁と平行な折り目線が所定の間隔を空けて形成されている』ことを特徴とする。
これによれば、前記差込み部を折り目線に沿って折り曲げることにより、前記差込み部を折り目線に沿って前記ポケット部から均等に引出すことができる。
【０００８】
（４）請求項４に係る考案のフォルダーは、『前記表板部材のポケット部は、前記表板部の下側部分に形成されている』ことを特徴とする。
これによれば、前記ポケット部を形成（補助板部や袋部などを取付け等）により多層構造となる部分が前記表板部の下側部分に限定されることにより、前記表板部の上側部分を単層構造とすることができる。そのため、一枚板からなる従来のフォルダーと同様に、上側部分に見出し部や、書類綴じ込み用の切込み綴じ穴を形成させることができる。
【０００９】
（５）請求項５に係る考案のフォルダーは、『前記表板部材又は前記裏板部材には、前記ポケット部に差込まれた前記差込み部の脱落を防止する脱落防止手段が設けられている』ことを特徴とする。
これによれば、フォルダーに保持される書類等の揺動や前記裏板部材の自重などにより前記差込み部が容易に引出されたり、脱落することを防止することができる。
ここで、前記脱出防止手段は、利用者による前記差込み部のポケット部への差込み・引出しを妨げるものではない。また、前記表板部材及び裏板部材のいずれか一方のみに設けられるものであっても、前記表板部材及び裏板部材の両方に設けられるものであってもよい。
【００１０】
（６）請求項６に係る考案のフォルダーは、『前記脱落止手段は、前記表板部の下端縁に延設され前記ポケット部の内側に折込まれる表板折込み部と、前記差込み部の自由端縁に延設され前記ポケット部の内側において前記表板折込み部と係合し得るように折込まれる裏板折込み部とからなる』ことを特徴とする。
これによれば、前記表板折込み部と裏板折込み部との係合により、利用者による前記差込み部の過剰な引出しが阻止されるから、誤って前記表板部材と裏板部材とを分離してしまうことを防止することができる。
また、前記表板折込み部および裏板折込み部は、それぞれ前記表板部と前記差込み部の端縁に延設される構成であるから、別部材からなる前記脱落防止手段を取付けるものに比べての構造が簡単である。
【００１１】
（７）請求項７に係る考案の表板部材は、『下端縁において重ね合わせ状態に連結される表板部と裏板部とからなり、紙片や書類等の被保持物を前記表板部と裏板部との間に保持させる構成のフォルダーに用いられる表板部材であって、前記表板部と、前記表板部の下端縁に沿って開口するポケット部と、前記ポケット部に出し入れ自在に差込まれる板部材の脱落を防止する脱落防止手段とからなる』ことを特徴とする。
本考案の表板部材は、前述の請求項１から６のフォルダーに用いることができるだけでなく、前記板部材として従来のＶ字状のフォルダーの表板部を前記ポケット部に差込むことにより、図９のように書類等の増大に伴ない底板部として利用される従来のフォルダーの表板部に代わり、本考案の表板部材が裏板部の上端縁を同じ高さを有する新しい表板部として機能することができる。
これにより、従来のＶ字状のフォルダーを書類等の厚みに相当する底板部を有するＵ字状のフォルダーに変形させることができる。
【考案の効果】
【００１２】
以上のように、請求項１に係る考案によれば、表板部と前記表板部の下端縁に沿って開口するポケット部とからなる表板部材と、裏板部と前記裏板部の下端縁から延設され前記ポケット部に出し入れ自在に差込まれる差込み部とからなる裏板部材とを連結させた構成としたことにより、前記差込み部の引出し長さを調節して被保持物の量によってフォルダー形態をＶ字状からＵ字状に変形できるから、前記書類等の被保持物の量に関係なく、前記表板部の上端縁と裏板部の上端縁とを同じ高さに維持することができる。
これにより、従来例のように隣接するフォルダーを一緒に取出してしまったり、前記表板部を把持できないことで被保持物がフォルダーから脱落してしまうことなく、ファイルキャビネット等の開口部から目的のフォルダーをスムーズに取出すことができる。
【００１３】
また、書類等の被保持物が前記表板部と裏板部との間の保持され、フォルダーの外側に露出することがないから、フォルダーの取出し時に書類等が折り曲げられたり、破損されるようなことがなく、書類等の被保持物の保存状態も優れている。さらに、前記ポケット部の形成により前記表板部の一部又は全部が二重構造となるからフォルダーの強度及び耐久性が向上される。
【００１４】
請求項２に係る考案によれば、裏板部をポケット部に差込み不能な板幅としたことにより、前記裏板部の上端縁の高さが低くなることも防止できるから、前記表板部及び裏板部の上端縁の高さ位置のズレをなくすことができる。
請求項３に係る考案によれば、差込み部に折り目線を形成させたことにより、前記差込み部をポケット部から均等に引出すことができるから、Ｕ字状のフォルダーの形態が安定する。
【００１５】
請求項４に係る考案によれば、表板部の下側部分にポケット部を形成されたことにより、前記表板部の上側部分に見出し部や綴じ穴等を形成できるから、フォルダーの使用態様のバリエーションが広い。
請求項５に係る考案によれば、差込み部の脱落を防止する脱落防止手段が設けたことにより、被保持物の揺動や前記裏板部材の自重などによる前記差込み部の脱落を防止できるから、利用者の意図に反して前記表板部材と裏板部材とが分離されにくい。
【００１６】
請求項６に係る考案によれば、表板部に延設された表板折込み部と差込み部に延設された裏板折込み部とからなる脱落防止手段としたことにより、前記表板折込み部と裏板折込み部との係合により、利用者が誤って前記表板部材と裏板部材とを分離してしまうことを防止できるから、分離によって保持された書類等がバラバラになるといった不都合が起こりにくい。また、別部材からなる前記脱落防止手段を取付けるものに比べての構造が簡単であるから、製造が容易であると共に製造コストも低い。
【００１７】
請求項７に係る考案によれば、表板部材のポケット部に一枚板からなるＶ字状のフォルダーの表板部を差込むことにより、従来のＶ字状のフォルダーをＵ字状のフォルダーに変形させることができるから、本考案の表板部材を使用中のフォルダーに取付けることで、前述の請求項１と同様に、ファイルキャビネット等から目的のフォルダーをスムーズに取出すことができるようになる。
【考案を実施するための最良の形態】
【００１８】
以下に、本考案実施の形態について添付図面を参照しながら説明する。
＜実施の形態１＞
本考案実施の形態のフォルダーの一例を図１及び図２に示している。
この例のものは、Ａ４サイズの書類等(5)を横向き姿勢で保持する紙製のフォルダーであって、表板部(20)とこれの下端縁に沿って開口するポケット部(21)とからなる表板部材(2)と、裏板部(10)とこれの下端縁に延設され前記ポケット部(21)に出し入れ自在に差込まれる差込み部(11)とからなる裏板部材(1)とから構成されている。これにより、前記差込み部(11)が前記ポケット部にすべて差込まれ前記表板部(20)と裏板部(10)とがＶ字状に連結された初期状態から、図１に示されるように、前記表板部(20)と裏板部(11)とが前記差込み部(11)によってＵ字状に連結されたフォルダー形態に変形することができる構成となっている。
【００１９】
前記裏板部材(1)は、図３に示されるように、矩形状の裏板部(10)と、前記裏板部(10)の下端縁(13)から延設される差込み部(11)と、前記差込み部(11)の端縁(14)に延設される裏板折込み部(15)とからなり、前記裏板部(10)の上端縁(12)及び側端縁には折り目線を介して見出し部(3)がそれぞれ形成されている。
前記裏板部(10)は、前記表板部(20)と同形であり、前記表板部(20)に等幅の補助板部(210)を重ね合わせて形成させるポケット部(21)には差込み不能となっている。また、前記裏板部(10)には、前記裏板部(10)の各端縁部には、書類等(5)を綴じ込むためのスティックファスナーや綴じ紐を挿通するための綴じ穴(4)又は切込み(40)が形成されている。
【００２０】
前記差込み部(11)は、前記表部材(2)のポケット部(21)に出し入れ自在であるように、前記裏板部(10)よりも僅かに小さい板幅を有するように設定されており、前記裏板部(10)の下端縁(13)から所定の間隔毎に計５本の折り目線(110)が前記下端縁(13)に沿って形成されている。また、前記差込み部(11)の端縁(14)には前記裏板折込み部(15)を折込みやすいようにミシン目が形成されている。
前記裏板折込み部(15)は、前記ポケット部(21)に差し込みやすいように先端が細い台形状となっており、後述する表板折込み部(25)と係合し得るように折込んだ状態で、前記ポケット部(21)に差込まれる。
【００２１】
前記表板部材(2)は、図４に示されるように、矩形状の裏板部(20)と、前記裏板部(20)の側端縁に連設され前記裏板部(20)に重ね合わせることによって筒型のポケット部(21)の形成する補助板部(210)と、前記補助板部(210)と貼着されるのり代部(211)と、前記表板部(20)の下端縁(23)から延設される表板折込み部(25)とからなっている。また、前記表板部(20)の上端縁(22)には、前記裏板部(10)と同様に切込み(40)が形成されている。
図４に示される展開図を、前記表板部(20)の側端縁に連設された前記補助板部(210)を前記表板部(20)に重ね合わせるように折込み、その自由端縁(212)と同様に折込まれたのり代部(211)とを接着剤などによって貼り合せることによって、前記表板部(20)の下側部分に上下に開放する筒型のポケット部(21)を形成することができる。
【００２２】
そして、前記表板折込み部(25)を前記ポケット部(21)の内側に折込ませた後に、前記裏板部材(1)の差込み部(11)を前記ポケット部(21)にすべて差込ませることにより、Ｖ字状のフォルダーが完成される。このとき、前記差込み部(11)の先端部は、前記裏板折込み部(15)の折込みにより二重構造となっているが、図６(a)に示されるように、前記ポケット部(21)の内側に折込まれた前記表板折込み部(25)の弾性によって前記ポケット部(21)の開口が押し広げられた状態となっているから、前記差込み部(11)を前記ポケット部(21)内にスムーズに差し込むことができる。
【００２３】
そして、前記差込み部(11)が前記ポケット部(21)の内側に差し込まれると、図６(a)に示されるように、前記裏板折込み部(15)は弾性により開いて前記ポケット部(21)の内面に押圧されることとなる。これにより、書類等(5)の増大により前記差込み部(11)を引出す際に、図６(b)に示されるように、前記ポケット部(21)の開口部において同じく弾性により前記差込み部(11)に押圧された前記表板折込み部(25)とが係合され、前記差込み部(11)は引出し阻止状態となる。そのため、利用者による過剰な前記差込み部(11)の引出しによって前記表板部材(2)と裏板部材(1)とが分離されることがない。
【００２４】
また、この例のものでは前記裏板折込み部(15)とポケット部(21)の内面との間、前記表板折込み部(25)と前記差込み部(11)との間にそれぞれ摩擦が生じる構成となっており、これが前記差込み部(11)の脱落防止手段として機能するから、自然状態において前記差込み部(11)が自重などにより容易に引出されてしまうことがない。
この例のものでは、前記差込み部(11)の長さは８ｃｍに設定さており、前記差込み部(11)の引出しにより最大５ｃｍの底板部を有するＵ字状のフォルダーを形成できるようになっている。また、前記折り目線(110)は１ｃｍ間隔で形成されている。
【００２５】
上記のような構成であるから、保持させる書類等(5)の量が少ない場合には、図５(a)に示されるように、前記差込み部(11)を引出すことなく前記表板部(20)と裏板部(10)との下端縁(13)(23)が互いに近接したＶ字状のフォルダーの形態で書類等(5)を保存することができる。そして、保持させる書類等(5)が徐々に増えてきたり、初めから多量の書類を保存させる必要がある場合には、図５(b)に示されるように、書類等(5)の量に合わせて前記差込み部(11)を前記ポケット部(21)から引出すことにより、引出された前記差込み部によって前記表板部(10)と裏板部(20)とが連結されたＵ字状にフォルダーの形態を変形させて書類等(5)を保存することができる。この例のものでは、図５(c)に示されるように、前記表板折込み部(25)と裏板折込み部(15)とが係合され引出し阻止状態となるまで、増大する書類等(5)の量に応じた底板部を有するＵ字状のフォルダーを変形させることができる。
【００２６】
このように、前記差込み部(11)を引出して底板部として機能させることにより、保持させる書類等(5)の量に関係なく、前記表板部(20)と裏板部(10)との上端縁(12)(22)を同じ高さに維持することができる。また、この例のものでは、前記ポケット部(21)に前記裏板部(10)を差込むことができない構成となっているから、前記表板部(20)と裏板部(10)との上端縁(12)(22)の高さ位置のズレが防止されるから、隣接するフォルダーを一緒に取出してしまったり、フォルダーから書類等(5)を脱落させることなく、目的のフォルダーをファイルキャビネット等からスムーズに取出すことができる。
【００２７】
また、前記表板部(20)と裏板部(10)との上端縁(12)(22)が同じ高さに維持されることにより、書類等(5)が常に前記表板部(20)と裏板部(10)との間に挟まれた状態で保持されるから、書類等(5)の保存状態も優れている。
この例のものでは、前記差込み部(11)の差込み・引出し方向に沿って複数の折り目線(110)が形成されているから、前記ポケット部(21)から前記差込み部(11)を均等に引出すことができると共に、前記差込み部(11)の引出し長さの調節が容易であるから、Ｕ字状のフォルダー形態が安定する。
【００２８】
この例のものでは、前記ポケット部(21)が前記表板部(10)の下側部分のみに形成させて、前記表板部(20)の上側部分に書類等(5)をスティックファスナーや綴じ紐を挿通する切込み(40)を形成させているから、様々な態様でフォルダーを使用することができる。
また、前記差込み部(11)に延設された裏板折込み部(15)と前記表板部(20)に延設された表板折込み部(25)との係合により前記差込み部(11)の脱落を防止する構成となっているから、別部材からなる脱落防止手段を取付けるものに比べての構造が簡単であり、製造が容易であると共に製造コストも低い。
【００２９】
＜実施の形態２＞
また、図７に示されるように、従来の一枚板からなるＶ字状のフォルダーと表板部材(7)とを組み合わせて利用することもできる。
図７には、従来のＶ字状のフォルダーと、表板部(70)と前記表板部(70)の下側部分に形成されたポケット部(71)とからなる表板部材(7)とからなるＵ字状のフォルダーを示している。前記Ｖ字状のフォルダーは、図８の従来のフォルダーと同じ構成のものである。
この例の表板部材(7)は、前述の実施の形態１で用いられている表板部材(2)と同じ構成を有しており、前記ポケット部(71)の開口は従来のフォルダーの表板部(20)を出し入れ自在に差込むことができる大きさに設定されている。
【００３０】
上記のような構成であるから、前記表板部材(7)のポケット部(71)に前記Ｖ字状のフォルダーの表板部(20)を差込んだ後、保持させる書類等(5)の量に合わせて前記表板部(20)を前記ポケット部(71)から引出して、図７に示されるように、前記折り目(6)近傍の表板部(20)によって底板部を形成させることで、前記表板部(20)に代わって機能する表板部(70)の上端縁(72)と前記後板部(10)の上端縁(12)の高さが釣合ったＵ字状のフォルダーとすることができる。
【００３１】
このとき、前記表板部材(7)の表板部(70)の下端縁に延設され前記ポケット部(71)の内側に折込まれた表板折込み部(75)が脱出防止手段として機能する。具体的には、前記表板折込み部(75)の弾性復帰力により、図７に示されるように、前記表板部(20)が前記ポケット部(71)の板部材(710)の内面に押圧され、前記表板部(20)と板部材(710)との間に摩擦抵抗が生じるから、自然状態において、前記表板部材(2)が自重により前記ポケット部(71)から容易に脱落してしまうことがない。
これにより、現在使用中のＶ字状のフォルダーに本考案の表板部材(7)を組み合わせることにより、前記表板部(70)と裏板部(10)の上端縁(72)(12)が同じ高さに維持されたＵ字状のフォルダーとすることができるから、前述の実施の形態１と同様に、ファイルキャビネット等から目的のフォルダーをスムーズに取出すことができるようになる。
【００３２】
＜その他＞
本考案のフォルダー及びこれに用いられる表板部材(2)は、上記実施の形態に限られるものではない。
前述の例において、前記表板部材(2)(7)に形成されるポケット部(21)(71)は、前記表板部(20)(70)に補助板部(210)(710)を重ね合わせることにより形成される上下に開口する筒型に形成されているが、前記補助板部(210)(710)の上端縁(24)(74)が閉塞した袋状のポケット部(21)(71)であっても、前記表板部(21)(71)自身を２枚の平面板を重ね合わせて袋状のポケット部(21)(71)とするものであってもよい。
【００３３】
前述の例において、前記裏板部材(1)のみに見出し部(3)が形成されているが、前記表板部材(2)に前記見出し部(3)を形成するものであってもよい。また、前記裏板部(10)及び表板部(20)には、各端縁に沿うように書類等(5)を綴じ込むためのスティックファスナーや綴じひもを挿通させる綴じ穴(4)や切込み(40)が複数形成されているが、前記綴じ穴(4)や切込み(40)が全く形成されないものであってもよい。
前述の例において、前記表板部材(2)(7)及び裏板部材(1)は厚口用紙を打抜くことにより形成されているが、合成樹脂製の板材から形成されるものであってもよい。
【図面の簡単な説明】
【００３４】
【図１】本考案実施の形態１のフォルダーを示す斜視図である。
【図２】図１のフォルダーの平面図である。
【図３】フォルダーに用いられる裏板部材の展開図である。
【図４】フォルダーに用いられる表板部材の展開図である。
【図５】被保持物である書類等の量に応じて変化されるフォルダーの形態を示す説明図である。
【図６】ポケット部からの差込み部の脱落を阻止する脱落防止手段の機構を示す説明図である。
【図７】本考案実施の形態２の表板部材の利用形態を示す断面図である。
【図８】従来例を示す斜視図である。
【図９】従来例の利用態様を示す断面図である。
【符号の説明】
【００３５】
(1)   裏板部材
(10)  裏板部
(11)  差込み部
(110)  折り目線
(15)  裏板折込み部
(2)(7)   表板部材
(20)(70)  表板部
(21)(71)  ポケット部
(25)(75)  表板折込み部
(12)(22)(72)  上端縁
(13)(23)(73)  下端縁
(3)  見出し部
(4)  綴じ穴
(40) 切込み
(5)  書類等，被保持物
【図１】
0003106738.tif 000003
【図２】
0003106738.tif 000004
【図３】
0003106738.tif 000005
【図４】
0003106738.tif 000006
【図５】
0003106738.tif 000007
【図６】
0003106738.tif 000008
【図７】
0003106738.tif 000009
【図８】
0003106738.tif 000010
【図９】
0003106738.tif 000011